(57)【要約】  本発明は、リスト編集方法及びこれを支援する携帯端末に関する。  本発明は、少なくとも１つのアイテムを含むリストで特定アイテムの順序を変更することができるように支援する方法及び装置を開示し、特にユーザが選択したアイテムを固定させて、未選択の残りのアイテムを移動させて、選択されたアイテムの順序を変更することができるように支援する方法及び装置の構成を開示する。
2013506928.tif 000002
【特許請求の範囲】
【請求項１】
複数のアイテムを含むリストを出力する過程と、
入力信号によって前記リストのうち少なくとも１つのアイテムを選択する過程と、
前記選択された少なくとも１つのアイテムを画面の一側に固定させる固定過程と、
スクロール信号発生時に、未選択の少なくとも１つのアイテムを前記スクロール信号によって移動させる移動過程と、
を含むことを特徴とするリスト編集方法。
【請求項２】
前記固定過程は、
前記リストが出力された画面で最上側に配置されたアイテムが出力される領域及び最下側アイテムが出力される領域のうち少なくとも１つの領域に前記選択された少なくとも１つのアイテムを固定させる過程と、
前記選択された少なくとも１つのアイテムが選択される時点のリスト位置に前記選択された少なくとも１つのアイテムを固定させる過程と、
のうちいずれか１つの過程を含むことを特徴とする請求項１に記載のリスト編集方法。
【請求項３】
前記未選択の少なくとも１つのアイテムが出力される階層から分離した階層に前記選択された少なくとも１つのアイテムを出力する過程と、
前記分離した階層に出力される選択された少なくとも１つのアイテムは、透明または半透明に出力する過程と、
のうち少なくとも１つの過程を含むことを特徴とする請求項２に記載のリスト編集方法。
【請求項４】
前記透明または半透明に出力される前記選択された少なくとも１つのアイテムと重畳するように前記未選択の少なくとも１つのアイテムを出力する過程と、
前記スクロール信号が解除される場合、前記選択された少なくとも１つのアイテムの順序を重畳された領域に位置する未選択のアイテム間の順序を有するように調整する過程と、
のうち少なくとも１つの過程をさらに含むことを特徴とする請求項３に記載のリスト編集方法。
【請求項５】
前記固定過程は、
前記リスト画面で複数のアイテムが選択された場合、スクロール信号方向によって複数のアイテムをリストの最上側から順に配置して固定する過程と、
前記リスト画面で複数のアイテムが選択された場合、スクロール信号方向によって複数のアイテムをリストの最下側から順に配置して固定する過程と、
前記リスト画面で複数のアイテムが選択された場合、スクロール信号によって選択された複数のアイテムを移動させ、前記選択された複数のアイテムがリストの最上側または最下側に位置する場合、当該位置にある選択された複数のアイテムを固定させる過程と、
のうちいずれか１つの過程を含むことを特徴とする請求項１に記載のリスト編集方法。
【請求項６】
前記移動過程は、
前記選択された少なくとも１つのアイテムが出力された表示領域と移動する前記未選択の少なくとも１つのアイテムの表示領域が重畳しないように移動させる過程であることを特徴とする請求項１に記載のリスト編集方法。
【請求項７】
前記リスト出力時に、リスト編集モード進入のためのキーマップを出力する過程と、
前記キーマップ選択による入力信号を生成する過程と、
前記キーマップ選択によるリスト編集モードに進入する過程と、
をさらに含むことを特徴とする請求項１に記載のリスト編集方法。
【請求項８】
記選択されたアイテムが画面の一側に固定された状態で未選択のアイテムの移動によって前記リストでの選択されたアイテム順序を変更する過程と、
変更されたアイテム順序を格納する過程と、
をさらに含むことを特徴とする請求項１に記載のリスト編集方法。
【請求項９】
複数のアイテムを含むリストを出力する表示パネルと、
前記リストに含まれたアイテムのうち少なくとも１つを選択するための入力信号及び未選択の少なくとも１つのアイテムを前記表示パネル上で移動させるためのスクロール信号を生成する入力部またはタッチスクリーンと、
前記選択された少なくとも１つのアイテムを画面の一側に固定させ、前記スクロール信号によって前記未選択の少なくとも１つのアイテムを移動させて、前記選択された少なくとも１つのアイテムの順序を変更するように制御する制御部と、
を含むことを特徴とするリスト編集を支援する携帯端末。
【請求項１０】
前記順序が変更されたアイテムのリストを格納する格納部をさらに含むことを特徴とする請求項９に記載のリスト編集を支援する携帯端末。
【請求項１１】
前記制御部は、
前記選択された少なくとも１つのアイテムをリストの最上側アイテムが出力された領域及びリストの最下側アイテムが出力された領域のうち少なくとも１つの領域またはアイテムが選択される時点に配置されたリスト上での位置に固定させることを特徴とする請求項９に記載のリスト編集を支援する携帯端末。
【請求項１２】
前記表示パネルは、
前記未選択の少なくとも１つのアイテムが出力される階層と前記選択された少なくとも１つのアイテムを出力する階層が区分されるように前記リストと前記アイテムを出力することを特徴とする請求項９に記載のリスト編集を支援する携帯端末。
【請求項１３】
前記表示パネルは、
前記選択された少なくとも１つのアイテムを透明または半透明に出力し、
前記未選択の少なくとも１つのアイテムがスクロール信号によって移動するか、または移動後に停止する場合、前記未選択の少なくとも１つのアイテムのうち一部のアイテムを透明または半透明に出力される前記選択された少なくとも１つのアイテムと重畳するように出力することを特徴とする請求項１２に記載のリスト編集を支援する携帯端末。
【請求項１４】
前記制御部は、
前記一部のアイテムと前記選択された少なくとも１つのアイテムが重畳した状態で前記スクロール信号が解除される場合、前記選択された少なくとも１つのアイテムの順序を重畳された領域に位置する一部のアイテム間の順序を有するように調整することを特徴とする請求項１３に記載のリスト編集を支援する携帯端末。
【請求項１５】
前記表示パネルは、
前記選択された少なくとも１つのアイテムが出力された表示領域とスクロール信号によって移動するか、または移動後に停止された前記未選択の少なくとも１つのアイテムの表示領域が重畳しないように表示することを特徴とする請求項９に記載のリスト編集を支援する携帯端末。
【発明の詳細な説明】
【技術分野】
【０００１】
本発明は、携帯端末に関し、特に多数のアイテムをリストに出力した状態で特定アイテムの順序を容易に変更することができるように支援するリスト編集方法及びこれを支援する携帯端末に関する。
【背景技術】
【０００２】
携帯端末は、移動性を基盤にして多様なユーザ機能を支援する端末であって、その利用の便利性と携帯の容易性などに起因して非常に幅広い分野において用いられている。このような携帯端末は、ユーザ機能提供のために多様な入力方式を提供している。
【０００３】
しかし、携帯端末は、携帯が容易にするために構成品のサイズを小さくしなければならないし、これにより、携帯端末に配置される入力部のサイズも小さく製作される。このような入力部のサイズ制限を克服するために、従来、携帯端末は、表示パネルにタッチパネルを配置したタッチスクリーンを支援している。しかし、タッチスクリーンを装着した携帯端末であるとしても、タッチ動作認識はユーザが要求するほど速くないため、携帯端末が提供する多様なユーザ機能を円滑に使用することができるようにするには、まだ足りない状態である。これにより、制限された入力環境で一層容易にユーザ機能を利用することができる多様な方式の提案が要求されている実情である。
【発明の概要】
【発明が解決しようとする課題】
【０００４】
したがって、本発明の目的は、リストの順序編集を一層容易に行うことができるように支援するリスト編集方法及びこれを支援する携帯端末を提供することにある。
【課題を解決するための手段】
【０００５】
上記目的を達成するための本発明の好ましい実施例によるリスト編集方法は、複数のアイテムを含むリストを出力する過程と、入力信号によって少なくとも１つの特定アイテムを選択する過程と、前記選択された少なくとも１つのアイテムを画面の一側に固定させる過程と、スクロール信号によって未選択の少なくとも１つのアイテムを移動させる過程とを含むことを特徴とする。
【０００６】
また、本発明の好ましい実施例によるリスト編集を支援する携帯端末は、複数のアイテムを含むリストを出力する表示パネルと、前記リストに含まれたアイテムのうち少なくとも１つを選択するための入力信号及び未選択の少なくとも１つのアイテムを移動させるためのスクロール信号を生成する入力部またはタッチスクリーンと、前記選択された少なくとも１つのアイテムを画面の一側に固定させ、前記スクロール信号によって前記未選択の少なくとも１つのアイテムを移動させて前記選択された少なくとも１つのアイテムの順序を変更するように制御する制御部と、を含むことを特徴とする。
【発明の効果】
【０００７】
本発明の実施例によるリスト編集方法及びこれを支援する携帯端末によれば、ユーザは、リストの特定アイテム順序編集を一層容易に行うことができる。
【図面の簡単な説明】
【０００８】
【図１】本発明の実施例による携帯端末のリスト編集方法を説明するための流れ図である。
【図２】本発明の実施例による携帯端末のリスト出力画面を示す図である。
【図３】本発明の第１実施例によるリスト編集方法を説明するための画面例示図である。
【図４】本発明の第２実施例によるリスト編集方法を説明するための画面例示図である。
【図５】本発明の第３実施例によるリスト編集方法を説明するための画面例示図である。
【図６】本発明の第４実施例によるリスト編集方法を説明するための画面例示図である。
【図７】本発明の実施例によるリスト編集機能を支援する携帯端末の各構成を示すブロック図である。
【発明を実施するための形態】
【０００９】
以下、本発明による好ましい実施例を添付の図面を参照して詳しく説明する。下記の説明では、本発明の実施例による動作を理解するのに必要な部分だけが説明され、その他の部分の説明は、本発明の要旨を不明にしないように省略されることに留意すべきである。
【００１０】
以下で説明される本明細書及び請求範囲に使用された用語や単語は、通常的または辞書的な意味に限定して解釈すべきものではなく、発明者は、自分の発明を最善の方法で説明するために用語の概念で適切に定義することができるという原則に即して本発明の技術的思想に符合する意味と概念として解釈されなければならない。したがって、本明細書に記載した実施例と図面に示された構成は、本発明の最も好ましい実施例に過ぎないものであり、本発明の技術的思想をすべて代弁するものではないので、本出願時点においてこれらを代替することができる多様な均等物と変形例があり得ることを理解しなければならない。  
【００１１】
図１は、本発明の実施例によるリスト編集方法を説明するための流れ図である。
【００１２】
図１を参照すれば、本発明のリスト編集方法は、まず、携帯端末に電源が供給されれば、供給された電源を基盤にして携帯端末の各構成を初期化し、初期化状態が完了すれば、Ｓ１０１段階で、既定の待機画面を表示パネルに出力するように制御することができる。この過程で、前記携帯端末は、既定の時間の間に使用されないため、スリップ（Ｓｌｅｅｐ）状態に遷移してから活性化する場合にも、待機画面を表示パネルに出力するように制御することができる。そして、前記携帯端末は、表示パネルが活性化する場合、ユーザ設定によってタッチパネルを活性化し、ユーザのタッチを認識することができる準備を行うことができる。以下、本発明の実施例による携帯端末は、タッチパネルを含むタッチスクリーンを代表にして説明するが、本発明がタッチスクリーンを介して生成されたタッチイベントを基盤にして制御される方法や装置に限定されるものではない。すなわち、本発明のタッチイベントは、機械的に設置された入力部の方向キーや確認キー入力を通じて生成される確認入力信号、方向入力信号などに代替されることができる。
【００１３】
次に、Ｓ１０３段階で、ユーザがリスト画面を出力する特定ユーザ機能を選択すれば、携帯端末は、選択されたユーザ機能によるリスト画面を表示パネルに出力するように制御することができる。前述したリスト画面は、少なくとも１つのアイテムを含む画面であって、メニュー画面、音楽ファイルリスト画面、映像ファイル画面、フォンブック画面、マルチイメージリスト画面などを含むことができる。そして、以下の説明で、本発明のリスト画面は、多行一列で構成されたリストを例にして説明すれば、一行多列、格子柄、すなわち多行多列で構成されたリスト画面にも、本発明のアイテム順序変更の方法が適用されることができる。
【００１４】
次に、携帯端末は、Ｓ１０５段階で、編集モード進入可否を確認することができる。このために、携帯端末は、編集モード進入のためのキーマップやボタンを提供することができる。端末ユーザは、少なくとも１つのアイテムを含むリスト画面を編集するためにリスト画面の一側に出力されるキーマップまたは入力部に割り当てられたホットキーなどを利用して編集画面への変更を要請することができる。端末ユーザが上述した編集モード進入のための入力信号を生成すれば、前記携帯端末は、当該入力信号伝達によって編集モード進入可否を確認するようになる。この時、編集モード進入信号が生成されず、他の入力信号が生成されれば、Ｓ１０７段階に進入し、入力された信号によるユーザ機能を行うように制御することができる。例えば、携帯端末は、音楽ファイルリスト画面で特定アイテムを活性化するための入力信号が生成されれば、特定アイテムを活性化し、オーディオ信号を出力するように制御することができる。
【００１５】
一方、Ｓ１０５段階で、編集モード進入のための入力信号が生成されれば、携帯端末は、Ｓ１０９段階で、入力によるアイテムを固定するように制御する。すなわち端末ユーザが特定アイテムの順序変更のために特定アイテムを選択する第１入力信号、例えば「タップ」に該当するタッチイベントや「確認」キーに該当する入力信号を生成すれば、携帯端末は、特定アイテムを表示パネルの特定位置に固定させるように制御することができる。ここで、特定位置は、選択されたアイテムが最初のリスト画面に出力された位置であることができ、また、新しい第２入力信号、例えばスクロール信号によって選択されたアイテムが一定の空間だけリスト画面で移動した後の位置になることができる。
【００１６】
次に、携帯端末は、Ｓ１１１段階で、「スクロール（Ｓｃｒｏｌｌ）」に該当する第２入力信号が発生するか否かを確認する。ここで、「スクロール」に該当する信号は、端末ユーザがタッチスクリーンの一側をタッチダウン（Ｔｏｕｃｈ  ｄｏｗｎ）した後、タッチダウン状態を維持しながら一定方向と一定速度を持って指などを移動させる状態に該当するタッチイベント発生になることができる。また、「スクロール」に該当する信号は、入力部に含まれた方向キーを利用してリスト画面に出力されることができるカーソルーや特定アイテムを指示するためのハイライトを一定方向に移動させるための入力信号生成になることができる。そして前記「スクロール」は一定方向と一定加速度を持って指などのタッチダウン状態を移動させる「フリック」を含むことができる。
【００１７】
前記Ｓ１１１段階でスクロール信号が発生しない場合、携帯端末は、Ｓ１０９段階の前に分岐し、後続過程を繰り返して行うことができる。これとは異なって、Ｓ１１１段階でスクロール信号が発生すれば、携帯端末は、Ｓ１１３段階に分岐し、Ｓ１０９段階で固定されたアイテムを除いた残りのアイテムをスクロール信号によって一定方向に移動させるように制御することができる。この時、移動されるアイテムの表示領域は、固定されたアイテムの表示領域と重畳しないように表現されるか、または固定されたアイテムの表示領域と重畳するように表現されることができる。ここで、重畳するように表現される場合、固定されたアイテムの表示様式は、半透明または透明状態に変更されることができる。
【００１８】
次に、携帯端末は、Ｓ１１５段階で、編集モード終了可否を確認し、編集モード終了のための入力信号が生成しない場合、Ｓ１０９段階の前に分岐し、後続過程を繰り返して行うことができる。そして、Ｓ１１５段階で、編集モード終了のための入力信号が生成されれば、携帯端末は、Ｓ１１７段階に分岐し、スクロール信号によってアイテムの順序が変更されるによる順序情報を格納部に格納するように制御することができる。
【００１９】
上述したように、本発明の実施例によるリスト編集方法は、特定アイテムを固定させ、周辺アイテムの位置を変更することによって、特定アイテムの順序変更を容易に行うことができ、この過程で、他のアイテムの位置関係を容易に把握することができる。
【００２０】
以下、本発明の実施例による携帯端末の表示パネルに出力される画面インターフェースについて図面を参照してさらに詳しく説明する。
【００２１】
図２は、本発明の実施例によるリスト出力画面を示す図であり、図３は、リスト出力画面で特定アイテムの順序を編集する過程を示す図である。
【００２２】
図２を参照すれば、本発明の携帯端末１００は、ユーザのタッチスクリーン１４０の操作または入力部の操作によって少なくとも１つのアイテムｉｔｅｍ１、ｉｔｅｍ２、…、ｉｔｅｍ６を含む特定リスト（Ｌｉｓｔ）画面を出力することができる。この時、携帯端末１００は、インジケーター領域２０９上に移動通信機能支援のための周波数環境を示すインジケーター、バッテリー残量を示すインジケーターなどを出力することができる。リスト画面は、題目（title）として「Ｌｉｓｔ」が出力される題目領域２０３と、少なくとも１つのアイテムが出力されるアイテム領域２０５、以前画面やアイテム活性化及びメニューを活性化することができるキーマップが出力されるソフトキー領域２０７を含むことができる。また、リスト画面は、リストに含まれたアイテムの順序編集（Ｅｄｉｔ）のために編集モードに進入することができる編集キー領域２０１を含むことができる。端末ユーザは、リスト画面が出力された状態で編集モードに進入するために前記編集キー領域２０１が出力されているタッチパネル領域をタッチすることができる。それでは、携帯端末１００は、当該領域で発生するタッチイベントによって編集モードに進入するための機能変換を行うことができる。アイテム順序変更については、図３を参照してさらに詳しく説明する。
【００２３】
図３は、図２に示された携帯端末１００のタッチスクリーン１４０に出力されることができる画面のうちリスト画面のみを抜粋して本発明の第１実施例によるリスト編集方法を説明するための図である。
【００２４】
図２及び図３を参照すれば、３０１画面で、携帯端末１００は、ユーザが選択したメニューや機能によって、例えば、５個のアイテムｉｔｅｍ１、ｉｔｅｍ２、ｉｔｅｍ３、ｉｔｅｍ４、ｉｔｅｍ５を含むリスト画面を出力することができる。ここで、前記アイテムｉｔｅｍ１、ｉｔｅｍ２、ｉｔｅｍ３、ｉｔｅｍ４、ｉｔｅｍ５は、携帯端末１００が提供する多様なユーザ機能に対応するものであって、例えば音楽ファイル、映像ファイル、写真ファイルだけでなく、メニュー項目、フォンブックに記載されたユーザ情報項目、スケジュール情報に含まれた項目、ウェブブラウザーを介してサーバーからダウンロードされた項目など多様な項目やファイルなどになることができる。一方、端末ユーザは、編集モードに進入された状態でリストに出力されたアイテムのうち特定アイテムの順序をリスト上で変更しようとする場合、変更しようとするアイテムを選択することができる。このために、携帯端末１００は、入力部やタッチスクリーン１４０を提供することができ、これにより、端末ユーザは、入力部の方向キー及び確認キーを利用するか、またはタッチスクリーン１４０上で特定アイテムが位置する領域をタッチ（Ｔａｐ）するタッチイベントを生成し、特定アイテムを選択することができる。携帯端末１００がタッチスクリーン１４０を提供する場合、３０１画面のように、端末ユーザは、指などを利用して順序を変更しようとするアイテム、すなわち第３アイテムｉｔｅｍ３を選択することができる。タッチスクリーン１４０基盤のアイテム選択方式は、携帯端末１００の設計者の意図やユーザの設定変更などによって変更されることができ、例えば、端末ユーザが、アイテムが出力された領域を１回タップするか、または２回タップする場合、携帯端末１００は、当該領域に出力されるアイテムが選択されたものと認識することができる。
【００２５】
次に、端末ユーザは、第３アイテムｉｔｅｍ３の順序変更のために３０３画面のようにタッチスクリーン１４０と指を利用してスクロールイベントを生成することができる。すなわち端末ユーザは、第４アイテムｉｔｅｍ４が出力された領域をタッチダウンし、タッチダウンが維持された状態で第５アイテムｉｔｅｍ５が出力された領域方向に指を移動させることによって、下側方向へのスクロールイベントを生成することができる。しかし、本発明がこれに限定されるものではなく、端末ユーザが、第１アイテムｉｔｅｍ１が出力された領域をタッチダウンし、タッチダウンが維持された状態で第５アイテムｉｔｅｍ５が出力された方向に指を移動させても、携帯端末１００は、同一の「下側方向のスクロールイベント」を生成することができる。また、端末ユーザが、第３アイテムｉｔｅｍ３が出力された領域をタッチダウンし、タッチダウンが維持された状態で第５アイテムｉｔｅｍ５が出力された方向に指を移動させても、携帯端末１００は、同一の「下側方向のスクロールイベント」を生成することができる。したがって、携帯端末１００は、第３アイテムｉｔｅｍ３が選択された後、タッチスクリーン１４０上で特定方向にスクロールイベント生成のための動作が発生すれば、当該スクロールイベントを認識することができる。
【００２６】
一方、スクロールイベントが発生すれば、携帯端末１００は、３０５画面のように第３アイテムｉｔｅｍ３の位置を固定させ、スクロールイベントが発生する方向に残りのアイテムを移動させるように制御することができる。ここで、携帯端末１００は、現在出力されているリストに含まれた全体アイテムの個数が１３個であり、第１アイテムｉｔｅｍ１の逆順方向にスクロールが発生する場合、最後の第１３アイテムｉｔｅｍ１３がタッチスクリーン１４０に出力されるものと仮定する。すなわち携帯端末１００は、リスト検索においてアイテムの配列を環状に提供する場合を仮定する。上述した環境において携帯端末１００は、端末ユーザが生成させるスクロールイベントによって第３アイテムｉｔｅｍ３を除いた残りのアイテム、すなわち第１アイテムｉｔｅｍ１、第２アイテムｉｔｅｍ２、第４アイテムｉｔｅｍ４及び第５アイテムｉｔｅｍ５をスクロールイベント方向に移動させる。この時、携帯端末１００は、スクロールイベントによって第５アイテムｉｔｅｍ５をリスト画面から除去しながら、反対に第１アイテムｉｔｅｍ１の逆順に配列された第１３アイテムｉｔｅｍ１３をリスト画面に出力するように制御することができる。前記携帯端末１００は、スクロールイベントが持続的に発生する場合、３０５画面のように、第２アイテムｉｔｅｍ２、第４アイテムｉｔｅｍ４及び第５アイテムｉｔｅｍ５をリスト画面から除去し、その代わりに、第１３アイテムｉｔｅｍ１３、第１２アイテムｉｔｅｍ１２及び第１１アイテムｉｔｅｍ１１をリスト画面に出力するように制御することができる。この時、第３アイテムｉｔｅｍ３の位置が固定されているので、携帯端末１００は、第３アイテムｉｔｅｍ３を第１２アイテムｉｔｅｍ１２と第１３アイテムｉｔｅｍ１３との間に配置させることができる。
【００２７】
その結果として、本発明の携帯端末１００は、ユーザが選択したアイテムの位置をアイテムが選択される当時または選択される時点に固定させるか、または既定の画面の一側に固定させ、未選択のアイテムを移動させることによって、選択したアイテムの順序変更を達成することができるように支援する。そして、前記携帯端末１００は、選択されたアイテム表示領域が他のアイテムの表示領域及びスクロールイベントによって移動する間に出力される他のアイテムの表示領域と重畳しないように制御することができる。したがって、スクロールイベントによって移動する未選択のアイテムは、選択されたアイテム表示領域をスキップしながら（Ｓｋｉｐ）表示されることができる。この過程で、端末ユーザは、嗜好度が高いか、または選択したいアイテムを固定させ、その他のアイテムを検索することができようにして、アイテムの順序変更のうちに所望のアイテムを基準にして他のアイテムの順序変更を行うことができる。
【００２８】
図４は、本発明の第２実施例によるリスト編集方法を説明するための画面インターフェースの一例を示す図である。
【００２９】
図２及び図４を参照すれば、本発明の携帯端末１００は、ユーザが選択したメニューや機能によって５個のアイテムｉｔｅｍ１、ｉｔｅｍ２、ｉｔｅｍ３、ｉｔｅｍ４、ｉｔｅｍ５を含むリスト画面を出力することができる。この時、端末ユーザは、入力部の方向キー及び確認キーを利用するか、またはタッチスクリーン１４０上で特定アイテムが位置する領域をタッチ（Ｔａｐ）するタッチイベントを生成し、特定アイテムを選択することができる。例えば、携帯端末１００がタッチスクリーン１４０を提供する場合、４０１画面のように、端末ユーザは、指などを利用して順序を変更しようとするアイテム領域、すなわち第３アイテムｉｔｅｍ３が出力された領域をタッチ（Ｔａｐ）することによって、当該アイテムを選択することができる。タッチスクリーン１４０基盤のアイテム選択方式は、図３で説明したように、携帯端末１００の設計者の意図やユーザの設定変更などによって変更されることができる。
【００３０】
第３アイテムｉｔｅｍ３を選択した後、端末ユーザは、タッチスクリーン１４０の一側をタッチダウンし、一定方向に一定速度または加速度を有し、タッチダウンした指などを移動させてスクロールイベントを生成することができる。例えば、４０３画面のように、端末ユーザが第５アイテムｉｔｅｍ５の一側をタッチダウンし、その状態で上側方向にタッチダウン状態を移動させる場合、携帯端末１００は、端末ユーザ動作に対応する「上側方向へのスクロールイベント」を生成するようになる。
【００３１】
前記第５アイテムｉｔｅｍ５が全体リストの最後のアイテムとして仮定する場合、固定された第３アイテムｉｔｅｍ３を除いた他のアイテムがスクロールイベントによって移動（Ｍｏｖｅ）すれば、携帯端末１００は、４０５画面のように、当該リストの最後のアイテムである第５アイテムｉｔｅｍ５を固定された第３アイテムｉｔｅｍ３に隣接して配置されるように制御することができる。すなわち携帯端末１００は、固定された第３アイテムｉｔｅｍ３を基準にして上側に第５アイテムｉｔｅｍ５及び第４アイテムｉｔｅｍ４を配置させるように制御することができる。その後、前記携帯端末１００は、追加的にスクロールイベントが発生しても、発生したスクロールイベントによるアイテム移動が発生しないように制御することができる。
【００３２】
その後、端末ユーザがタッチダウン状態を解除（ｒｅｌｅａｓｅ）する場合、携帯端末１００は、４０７画面のように、タッチスクリーン１４０に出力されるアイテムの順序を再構成し、新しいリスト画面を出力するように制御することができる。これをさらに詳しく説明すれば、携帯端末１００は、第３アイテムｉｔｅｍ３をリスト画面の最下側に配置し、その上側に第５アイテムｉｔｅｍ５、第４アイテムｉｔｅｍ４、第２アイテムｉｔｅｍ２及び第１アイテムｉｔｅｍ１を配置させることができる。これにより、携帯端末１００は、最初４０１画面を基準にして第３アイテムｉｔｅｍ３の順序が変更されたリスト画面を出力するように制御するようになる。
【００３３】
もし全体アイテムの個数が５個以上である場合、例えば８個である場合（図示せず）を仮定すれば、スクロールイベントが持続的に発生し、第８アイテムが第３アイテムｉｔｅｍ３を通り過ぎる場合、携帯端末１００は、第３アイテムｉｔｅｍ３の上側に第８アイテムを固定させ、以後にスクロールイベントが発生しても、発生したスクロールイベントを無視するように制御することができる。その後、端末ユーザがタッチダウン状態を解除すれば、携帯端末１００は、第３アイテムｉｔｅｍ３をリスト画面の最下側に位置させ、その上側に第８アイテム、第７アイテム、第６アイテム及び第５アイテムを配置させることができる。
【００３４】
上述したように、本発明の第２実施例によるリスト編集方法は、リストでアイテムの順序を変更する場合、変更された順序によるリスト画面を速く確認することができるように支援することができる。
【００３５】
図５は、本発明の第３実施例によるリスト編集方法を説明するための画面例示図である。
【００３６】
図２及び図５を参照すれば、本発明の携帯端末１００は、ユーザが要請したリスト画面出力を５０１画面のように、６個のアイテムｉｔｅｍ１、ｉｔｅｍ２、ｉｔｅｍ３、ｉｔｅｍ４、ｉｔｅｍ５、ｉｔｅｍ６を含むリスト画面で構成することができる。上述したリスト画面が出力された状態で、端末ユーザは、入力部の方向キー及び確認キーを利用するか、またはタッチスクリーン１４０上で特定アイテムが位置する領域をタッチ（Ｔａｐ）するタッチイベントを生成し、特定アイテムを選択することができる。例えば、携帯端末１００がタッチスクリーン１４０を提供する場合、５０１画面のように、端末ユーザは、指などを利用して第４アイテムｉｔｅｍ４が出力された領域を「タップ（Ｔａｐ）」することによって、第４アイテムｉｔｅｍ４を選択することができる。タッチスクリーン１４０基盤のアイテム選択方式、すなわち「タップ」方式は、図３で説明したように、携帯端末１００の設計者の意図やユーザの設定変更などによって変更されることができる。
【００３７】
その後、端末ユーザは、タッチスクリーン１４０にタッチダウンし、タッチダウン状態を維持しながら一定方向に指を移動させてスクロールイベントを生成することができる。例えば、端末ユーザは、５０３画面のように、第４アイテムｉｔｅｍ４が出力された位置にタッチダウンし、タッチダウンを維持しながら上側方向に指を移動させて(Ｍｏｖｅ)、上側方向のスクロールイベントを生成することができる。それでは、携帯端末１００は、スクロールイベントによってリスト画面に出力されているアイテムの位置を移動（Ｍｏｖｅ）させる。これにより、携帯端末１００は、第１アイテムｉｔｅｍ１及び第２アイテムｉｔｅｍ２を画面から除去し、第７アイテムｉｔｅｍ７及び第８アイテムｉｔｅｍ８を第６アイテムｉｔｅｍ６の下に配置させるように制御する。一方、第４アイテムｉｔｅｍ４は、スクロールイベントによって上側に移動したので、指のタッチダウンされた領域に配置されることができる。
【００３８】
次に、端末ユーザがスクロールイベントを上側方向にさらに進行させる場合、５０５画面のように、第４アイテムｉｔｅｍ４は、リスト画面の最上側に移動(Ｍｏｖｅ)して配置されることができる。これにより、第３アイテムｉｔｅｍ３は、リスト画面から除去され、第９アイテムｉｔｅｍ９が第８アイテムｉｔｅｍ８の下に新しく配置されることができる。この時、携帯端末１００は、第４アイテムｉｔｅｍ４をリスト画面の最上側に固定させるように制御することができる。
【００３９】
次に、端末ユーザは、５０５画面で維持したタッチダウンイベントを解除（Ｒｅｌｅａｓｅ）しながら画面の特定領域、例えば画面の下段の一側にタッチダウンイベントを新しく生成することができる。これにより、端末ユーザは、５０７画面のように、追加に上側方向へのスクロールイベントを生成することができる。上側方向スクロールイベントが発生すれば、携帯端末１００は、各アイテムを上側方向に移動させるように制御する。この時、第４アイテムｉｔｅｍ４は、リスト画面の最上側に固定されるので、第４アイテムｉｔｅｍ４の移動は発生しない。したがって、５０５画面で出力されていた第５アイテムｉｔｅｍ５と第６アイテムは、５０７画面で上側方向のスクロールイベントによってリスト画面から除去され、第１０アイテムｉｔｅｍ１０及び第１１アイテムｉｔｅｍ１１が第９アイテムｉｔｅｍ９の下に配置されることができる。
【００４０】
一方、端末ユーザは、以前に発生した上側方向のスクロールイベントとは反対方向、すなわち５０９画面のように下側方向のスクロールイベントを生成することができる。それでは、携帯端末１００は、以前に上側方向に移動して除去されたアイテムをリスト画面に出力するように制御することができる。下側方向のスクロールイベントが第３アイテムｉｔｅｍ３を第４アイテムｉｔｅｍ４の下に配置されることができる程度に発生すれば、５０９画面のように、第３アイテムｉｔｅｍ３が第４アイテムｉｔｅｍ４の下に配置され、第３アイテムｉｔｅｍ３の下には、第５アイテムｉｔｅｍ５が配置されることができる。下側方向のスクロールイベント発生によって５０７画面で出力された第１１アイテムｉｔｅｍ１１、第１０アイテムｉｔｅｍ１０、第９アイテムｉｔｅｍ９は、リスト画面で除去され、第７アイテムｉｔｅｍ７と第８アイテムｉｔｅｍ８は、下方向に一定空間だけ移動した位置に配置されることができる。
【００４１】
一方、図５では、最上側方向に第４アイテムｉｔｅｍ４を固定するものを例に取って説明したが、本発明は、これに限定されるものではない。すなわち端末ユーザが第４アイテムｉｔｅｍ４を選択し、第４アイテムｉｔｅｍ４をリスト画面の最下側に配置されるように下側方向のスクロールイベントを発生させる場合、携帯端末１００は、第４アイテムｉｔｅｍ４を最下側に固定させるように制御することができる。
【００４２】
上述したように、本発明の実施例によるリスト編集方法は、ユーザが選択した少なくとも１つのアイテムをスクロールイベント発生によってリスト画面の一側、例えば最上側または最下側に固定させた後、未選択のアイテムの位置を移動させることによって、特定アイテムの順序を容易に調整しながら全体アイテムに対する検索を容易に行うことができるように支援する。一方、上述した説明において５０９画面で下側方向スクロールイベント発生時に、第４アイテムｉｔｅｍ４が出力されたリスト画面の最上側に固定されたものと説明したが、前記第４アイテムは、前記下側方向スクロールイベントによって下側方向に移動することもできる。すなわち、５０７画面のように、第４アイテムｉｔｅｍ４の下に第７アイテムｉｔｅｍ７が配置された状態で、下側方向スクロールイベントが発生すれば、第４アイテムｉｔｅｍ４は、隣接した他のアイテム、すなわち第７アイテムｉｔｅｍ７、第８アイテムｉｔｅｍ８、第９アイテムｉｔｅｍ９、第１０アイテムｉｔｅｍ１０、第１１アイテムｉｔｅｍ１１と共に下側方向に移動することができる。下側方向スクロールイベントが続いて発生し、第４アイテムｉｔｅｍ４が出力されたリスト画面の最下側に位置すれば、携帯端末１００は、第４アイテムｉｔｅｍ４がリスト画面から除去されないように最下側に固定させるように制御することができる。
【００４３】
また、前記図５の説明では、スクロールイベントによってリスト画面の最上側または最下側に移動した選択されたアイテムを固定するものと説明したが、端末ユーザが特定アイテムを選択する場合、携帯端末１００は、選択されたアイテムをユーザ設定によってリスト画面の最上側または最下側に自動に移動させて固定させることもできる。
【００４４】
一方、複数のアイテムが選択され、スクロールイベントによって複数の選択されたアイテムが移動する場合、携帯端末１００は、リスト画面の最上側または最下側に先に位置する選択されたアイテムを固定させることができる。その後、他の選択アイテムが最上側の下または最下側の上に配置される場合、前記携帯端末１００は、配置された他の選択アイテムを以前に固定された選択アイテムに隣接して配置し、当該位置に固定させるように制御することができる。すなわち携帯端末１００は、複数の選択されたアイテムがある場合、スクロール方向によってリスト画面の最上側または最下側に順に配置させることができる。この時、携帯端末１００は、スクロールイベントの方向が２つの方向に時間差をもって発生する場合、例えば上側方向スクロールイベントが発生した後、下側方向スクロールイベントが発生し、スクロールイベントが発生する間に、リスト画面の最上側または最下側に位置する選択アイテムが存在すれば、それぞれの選択アイテムの位置を当該位置に固定させることもできる。これにより、携帯端末１００は、最上側及び最下側の２ヶ所に選択アイテムを固定させることができる。そして、携帯端末１００は、さらに多い数の選択アイテムが存在すれば、選択アイテムをリスト画面の最上側から下側方向に並んで、そしてリスト画面の最下側から上側方向に並んで配置される時、当該選択アイテムを固定させることができる。
【００４５】
図６は、本発明の第４実施例によるリスト編集方法を説明するための画面例示図である。
【００４６】
図２及び図６を参照すれば、本発明の携帯端末１００は、６０１画面のように、ユーザが選択したメニューや機能によって５個のアイテムｉｔｅｍ１、ｉｔｅｍ２、ｉｔｅｍ３、ｉｔｅｍ４、ｉｔｅｍ５を含むリスト画面を出力することができる。この時、端末ユーザは、入力部の方向キー及び確認キーを利用して第３アイテムｉｔｅｍ３を選択するか、またはタッチスクリーン１４０上で第３アイテムｉｔｅｍ３が位置する領域をタッチ（Ｔａｐ）するタッチイベントを生成し、第３アイテムｉｔｅｍ３を選択することができる。
【００４７】
６０１画面で、第３アイテムｉｔｅｍ３が選択されれば、携帯端末１００は、６０３画面のように、選択された第３アイテムｉｔｅｍ３を他のアイテムと異なるレイヤー（Ｌａｙｅｒ）に位置するもののように表示するように制御することができる。これにより、リスト画面で第３アイテムｉｔｅｍ３が出力された領域は、第２アイテムｉｔｅｍ２が出力された領域と少なくとも一部が重畳して表示されることができ、第３アイテムｉｔｅｍ３の他のアイテムが配置された階層で一定高さと一定角度をもって浮び上がる間に、第３アイテムｉｔｅｍ３が配置された背景６１の一部が露出することができる。そして、第３アイテムｉｔｅｍ３は、他のアイテムが出力される階層と分離した階層に表示された状態に固定されることができる。このように固定された第３アイテムｉｔｅｍ３は、半透明または透明に処理されることができる。一方、端末ユーザは、６０３画面のように、スクロールイベントを生成することができる。すなわち端末ユーザが第５アイテムｉｔｅｍ５の一側をタッチダウンし、タッチダウンが維持された状態で上側方向に指を移動させることができる。
【００４８】
端末ユーザがスクロールイベントを持続的に進行させる間に、第３アイテムｉｔｅｍ３を除いた他のアイテムは、発生したスクロールイベントによって移動するようになる。そして、６０５画面のように、端末ユーザが第５アイテムｉｔｅｍ５を第３アイテムｉｔｅｍ３の下部階層の一部領域に移動させる場合、第４アイテムｉｔｅｍ４の一部領域と第５アイテムｉｔｅｍ５の一部領域が第３アイテムｉｔｅｍ３の下部階層に位置するようになる。一方、未選択のアイテムが配置された階層から第３アイテムｉｔｅｍ３が離脱しながら発生した背景６１も、スクロールイベントによって未選択のアイテムの移動と共に上側方向に移動することができる。
【００４９】
この状態で、端末ユーザがタッチダウン状態を解除（ｒｅｌｅａｓｅ）するか、またはタッチダウン状態を解除した後、第３アイテムｉｔｅｍ３をタップ（Ｔａｐ）する場合、携帯端末１００は、６０７画面のように第３アイテムｉｔｅｍ３は、第４アイテムｉｔｅｍ４と第５アイテムｉｔｅｍ５との間の順序を有するように配置されることができる。そして、携帯端末１００は、６０５画面で出力された背景６１をリスト画面から除去し、リスト画面で出力することができるように設定されたアイテム個数によって第２アイテムｉｔｅｍ２を第４アイテムｉｔｅｍ４の上側に配置することができる。
【００５０】
以上で説明したように、本発明の実施例によるリスト編集方法は、端末ユーザが選択した少なくとも１つのアイテムを他のアイテムが出力される階層と異なる階層に移動させて固定させるように制御し、スクロールイベントによって他のアイテムの間に重畳するように位置する場合、選択されたアイテムの順序を重畳した位置にあるアイテム間の順序を有するように配置することができる。この時、本発明の携帯端末１００は、選択されたアイテムを半透明または透明処理することによって、固定されたアイテムに関係なくスクロールされるアイテムの情報確認を容易に支援することができる。一方、上述した説明では、第４アイテムｉｔｅｍ４と第５アイテムｉｔｅｍ５との間に重畳するように第３アイテムｉｔｅｍ３が配置された状態でタッチダウン状態を解除することを例示したが、本発明の携帯端末１００は、第２アイテムｉｔｅｍ２と背景６１との間に重畳するように第３アイテムｉｔｅｍ３を配置させることもできる。この場合、携帯端末１００は、第３アイテムｉｔｅｍ３が最初にあった順序を有するように配置することができる。
【００５１】
以上では、本発明の実施例によるリスト編集運用のための画面インターフェースについて説明した。以下では、前記リスト編集方法と画面インターフェース支援のための携帯端末１００の各構成について概括的に説明する。
【００５２】
図７は、本発明の実施例による携帯端末１００の構成を概略的に示すブロック図である。
【００５３】
図７を参照すれば、本発明の携帯端末１００は、無線周波数部１１０、入力部１２０、オーディオ処理部１３０、タッチスクリーン１４０、格納部１５０及び制御部１６０の構成を含むことができる。ここで、前記無線周波数部１１０は、前記携帯端末１００が通信機能を支援しない場合に省略されることができる構成である。また、前記携帯端末１００が入力信号生成のためにタッチスクリーン１４０だけを提供する場合、前記入力部１２０の構成も省略されることができる。
【００５４】
このような構成を有する本発明の携帯端末１００は、格納部１５０に格納されたユーザ機能に対応する応用プログラムをユーザ要請によって活性化する。ここで、前記ユーザ機能は、  少なくとも１つのアイテムを含むリストを出力することができる機能になることができる。したがって、前記携帯端末１００は、応用プログラムの活性化によって少なくとも１つのアイテムを含むリスト画面を出力することができる。そして、前記携帯端末１００は、編集モードに進入する場合、ユーザが選択したアイテムを画面の一側に固定させ、スクロールイベント発生によって選択されたアイテムを除いた他のアイテムの位置を移動させることができる。これにより、前記携帯端末１００は、ユーザが順序変更を希望するアイテムをさらに容易に且つ速く行うことができるように支援する。以下、携帯端末１００の各構成及び構成の役目についてさらに詳しく説明する。
【００５５】
前記無線周波数部１１０は、音声通話のための通信チャネルの形成及び映像などのデータ伝送のための通信チャネルの形成などを制御部１６０の制御の下に行う。すなわち、無線周波数部１１０は、音声通話チャネル、データ通信チャネル及び画像通話チャネルを移動通信システム間に形成する。このために、前記無線周波数部１１０は、送信される信号の周波数上昇変換及び増幅する無線周波数送信部と、受信される信号を低雑音増幅し、周波数下降変換する無線周波数受信部などを含むことができる。このような無線周波数部１１０は、タッチパネル１４３が生成するタッチイベントによって活性化することができる。携帯端末１００は、前記無線周波数部１１０の運用によって発生する通話ログ情報を収集することができ、本発明のリスト画面は、前記通話ログ情報をアイテムとして支援することができる。すなわち、本発明のリスト画面は、通話ログ情報をそれぞれのアイテムとするリストで構成されることができる。
【００５６】
前記入力部１２０は、数字または文字情報を入力され、各種機能を設定するための多数の入力キー及び機能キーを含む。前記機能キーは、特定機能を行うように設定された方向キー、サイドキー及びショートカットキーなどを含むことができる。また、前記入力部１２０は、ユーザ設定及び携帯端末１００の機能制御と関連したキー信号を生成し、前記制御部１６０に伝達する。このような入力部１２０は、多数のキーを含むクォティキーパッド、３＊４キーパッド、４＊３キーパッド、方向キーパッドなどで具現されることができる。前記入力部１２０は、前記携帯端末１００のタッチスクリーン１４０がフルタッチスクリーン形態で支援される場合、省略され、前記タッチスクリーン１４０に代替されることができる。一方、本発明の入力部１２０は、ユーザ操作によって特定メニューや機能に対応するリスト画面を活性化するための入力信号、リスト画面が出力された状態で特定アイテムを選択するための第１入力信号、リスト画面に出力されたアイテムを一定方向に移動させるためのスクロール機能を有する第２入力信号、スクロール解除のための入力信号などを生成し、これを制御部１６０に伝達することができる。ここで、スクロール解除のための入力信号は、スクロール入力信号生成のために特定ボタンが割り当てられた場合、特定ボタンの押圧解除時に生成されることができる。
【００５７】
前記オーディオ処理部１３０は、通話時に送受信されるオーディオデータを再生するためのスピーカーＳＰＫと、通話時にユーザの音声またはその他のオーディオ信号を収集するためのマイクＭＩＣを含む。このようなオーディオ処理部１３０は、上述した画面インターフェースで各画面状態が変更される間に、それに対応するオーディオ信号を出力することができる。例えば、前記オーディオ処理部１３０は、リスト画面が出力された状態でアイテムを選択する場合、スクロールイベントが発生した場合、選択されたアイテムの順序が変更された場合など多様な画面変化による音響効果を支援することができる。
【００５８】
前記タッチスクリーン１４０は、表示パネル１４１とタッチパネル１４３を含む。このようなタッチスクリーン１４０は、表示パネル１４１の前面にタッチパネル１４３が配置される構造を有することができる。前記タッチスクリーン１４０のサイズは、タッチパネル１４３のサイズに決定されることができる。
【００５９】
前記表示パネル１４１は、携帯端末１００の各種メニューをはじめとしてユーザが入力した情報またはユーザに提供する情報を表示する。すなわち、表示パネル１４１は、携帯端末１００の利用による多様な画面、例えば、待機画面、メニュー画面、メッセージ作成画面、通話画面などを提供することができる。特に、本発明の表示パネル１４１は、少なくとも１つのアイテムを含むリスト画面を出力することができる。そして、前記表示パネル１４１は、追加に発生する入力信号によって出力されたリスト画面でアイテム選択を指示する画面、選択されたアイテムが固定された画面、選択されたアイテムが固定された状態でスクロール信号によってアイテムを移動させる画面、アイテムの移動によって固定されたアイテムの順序が変更された画面などを出力することができる。このような前記表示パネル１４１は、液晶表示装置（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ  Ｅｍｉｔｔｅｄ  Ｄｉｏｄｅ）などで形成されることができる。
【００６０】
前記タッチパネル１４３は、前記表示パネル１４１を覆うように配置され、物体の接触または物体の接近距離によってタッチイベントを生成し、生成されたタッチイベントを制御部１６０に伝達することができる。この時、タッチパネル１４３は、マトリクス形態で配列され、タッチパネル１４３上で発生するタッチイベントに対して当該位置情報とタッチイベントの種類に関する情報を制御部１６０に伝達する。このようなタッチイベントの種類は、タッチパネルに物体を接触することによって発生するタッチダウンイベント、物体の接触を解除することによって発生するタッチアップまたは解除イベント、タッチダウン状態で一定方向に接触を移動させることによって発生するスクロールまたはタッチムーブまたはタッチドラッグイベント、一定方向に加速度を持って前記接触を移動させることによって発生するフリックイベントなどを含むことができる。
【００６１】
前記格納部１５０は、本発明の実施例による機能動作に必要な応用プログラムをはじめとして、前記携帯端末１００がタッチスクリーン１４０で形成される場合、タッチスクリーン１４０の運用のためのキーマップやメニューマップなどを格納することができる。ここで、キーマップ及びメニューマップは、それぞれ多様な形態になることができる。すなわち、キーマップは、キーボードマップや、３＊４キーマップ、クォティキーマップなどになることができ、現在活性化されている応用プログラムの運用制御のための制御キーマップになることもできる。また、メニューマップは、現在活性化している応用プログラム運用制御のためのメニューマップになることもでき、携帯端末１００が提供する多様なメニューを項目として有するメニューマップになることもできる。特に本発明の格納部１５０は、少なくとも１つのアイテムを含むリスト画面を出力する応用プログラムを格納することができる。そして、格納部１５０は、リスト画面が出力された状態で特定アイテムの順序が変更されれば、ユーザ操作によって運用される制御部１６０または設定されたスケジュールによって運用される制御部１６０の制御によって変更された順序のリストを格納することができる。格納部１５０は、以後に変更された順序のリストを有する応用プログラムをさらに活性化させる信号によって変更された順序のリストを制御部１６０に伝達することができる。それでは、制御部１６０は、変更された順序を有するリスト画面を出力するように制御するようになる。
【００６２】
前記制御部１６０は、前記携帯端末１００の各構成に電源供給を制御し、初期化過程を行うように支援し、初期化過程が完了すれば、各構成について本発明の実施例によるリスト編集機能提供のための信号フローなどを制御することができる。これをさらに詳しく説明すれば、前記制御部１６０は、少なくとも１つのアイテムを含むリストが出力された状態で入力部１２０及びタッチスクリーン１４０のうち少なくとも１つから特定アイテムを選択するための入力信号が伝達されれば、伝達された入力信号が指示するアイテムを表示パネル１４１の一側に固定させるように制御する。その後、前記制御部１６０は、前記入力部１２０及びタッチスクリーン１４０のうち少なくとも１つから発生するスクロール信号によって前記固定されたアイテムを除いた残りのアイテムを移動させるように制御する。そして、移動が終了し、スクロール信号が解除されれば、固定されたアイテムを移動したアイテムの間に配置するように制御することができる。この過程で、前記制御部１６０は、前記固定されたアイテムをスクロールイベントによって一定距離だけ移動させた後、表示パネル１４１の一側に固定するように支援することができ、固定されたアイテムを他のアイテムが出力されている階層と区分された階層に配置させ、他のアイテムの移動時に固定されたアイテムと重畳しながら移動するように支援することができる。この時、制御部１６０は、固定されたアイテムを半透明または透明に表示するように制御することができる。固定されたアイテムと未選択のアイテムが重畳した後、特定入力信号、例えばスクロールイベント解除信号などが生成されれば、制御部１６０は、固定されたアイテムを未選択のアイテムのうち重畳した領域周辺に隣接したアイテム間の順序を有するように配置させることができる。
【００６３】
一方、上述した説明では、１つのアイテムを選択することを例に取って説明したが、本発明がこれに限定されるものではない。すなわち本発明のリスト編集方法及び携帯端末１００は、複数のアイテムを出力するリストでユーザ操作によって複数のアイテム選択を含む少なくとも１つのアイテム選択を支援し、選択されたアイテムを画面の一側に固定するように支援することができる。また、本発明のリスト編集方法及び携帯端末１００は、アイテム選択後に発生するスクロールイベントによって未選択のアイテムを移動させるように制御することができる。ここで、本発明のリスト編集方法及び携帯端末１００は、アイテム選択後に発生するスクロールイベントによって選択されたアイテムを一定距離だけ移動させて画面の一側に固定させることができる。例を取って説明すれば、リスト画面に第１〜第７アイテムが出力されている状態（図示せず）で第２アイテムと第５アイテムが選択されたと仮定すれば、以後に発生する一定方向、例えば上側方向へのスクロールイベントによって第２アイテムと第５アイテムを未選択の他のアイテムとともに画面に出力されたリストの上側方向に移動させる。この時、本発明の携帯端末１００は、第２アイテムが画面に出力されたリストの最上側に位置する場合、第２アイテムを固定させ、持続的に発生するスクロールイベントによって第３アイテム及び第４アイテムを上側方向に移動させてリスト画面から除去することができる。そして、スクロールイベントが続いて発生し、第５アイテムが第２アイテムの下の順序に配置される場合、携帯端末１００は、第５アイテムを固定させるように制御することができる。これにより、携帯端末１００は画面に出力されたリストの最上側から第２アイテム及び第５アイテムを固定させるように制御し、スクロールイベントによってそれぞれ未選択のアイテムを移動させて出力することができるように支援する。ここで、本発明の携帯端末１００は、スクロールイベント方向によって第２アイテム及び第５アイテムを画面に出力されたリストの最下側に固定配置することもできる。また、前記携帯端末１００は、第２アイテムが画面に出力されたリストの最上側に固定配置させた後、反対方向にスクロールイベントが発生し、第５アイテムが画面に出力されたリストの最下側に位置すれば、第５アイテムを最下側に固定配置させるように制御することができる。これにより、携帯端末１００は、第２アイテムを画面に出力されたリストの最上側に配置し、第５アイテムを画面に出力されたリストの最下側に配置させることができる。
【００６４】
また、本発明のリスト編集方法及び携帯端末１００は、アイテム選択をスクロールイベント発生後にも行うことができるように支援することができる。例を取って説明すれば、全体１０個のアイテムが１つのリスト画面に出力されることができる環境であり、第１〜第１０アイテムが出力されている状態(図示せず)で、ユーザが第２アイテムと第４アイテムを選択すれば、携帯端末１００は、第２アイテムと第４アイテムを現在配置された位置またはリスト画面の一側に固定させるように制御することができる。そして、携帯端末１００は、スクロールイベントが発生すれば、選択された第２アイテムと第４アイテムを除いた残りのアイテムを発生したスクロールイベントによって移動させるように制御することができる。例えば、携帯端末が出力するリスト画面は、リスト画面の最上側に第５アイテムが配置され、順に第２アイテム、第６アイテム、第４アイテム、第７アイテム、第８アイテム、第９アイテム、第１０アイテムが配置されることができ、追加に第１アイテムと第３アイテムがリスト画面から除去されながらそれに対応して出力された第１１アイテム及び第１２アイテムが第１０アイテムの次の順序を有するようにリスト画面に出力されることができる。この時、端末ユーザは、特定アイテム、例えば第１１アイテムを選択することができ、携帯端末１００は、ユーザが選択した第１１アイテムを現在配置された位置またはリスト画面の一側に固定させるように制御することができる。これにより、現在リスト画面には、３個の固定されたアイテム、すなわち第２アイテム、第４アイテム及び第１１アイテムが存在することができる。
【００６５】
そして、本発明のリスト編集方法及び携帯端末説明では、一列を有するリストについて説明することによって、スクロール信号を上側方向または下側方向の信号として説明したが、前記リストが格子柄形態に配置されたアイテムを有する場合、前記スクロール信号は、左側、右側、対角線方向のスクロール信号を含むことができる。
【００６６】
上述したように、本発明の実施例による携帯端末１００は、特定アイテムの順序変更時に、選択したアイテムを固定させ、他のアイテムを入力信号によって移動させるように制御し、選択したアイテムの順序を変更するように支援することができる。
【００６７】
以上、本発明を好ましい実施例を例示して説明したが、これらの実施例は、例示的なものであって、限定的なものではない。このように、本発明の属する技術分野における通常の知識を有する者なら本発明の思想と添付の特許請求範囲に提示された権利範囲から逸脱することなく、均等論によって多様な変化と修正を加えることができることを理解することができる。
【符号の説明】
【００６８】
１００      携帯端末
１４０      タッチスクリーン
２０１      編集キー領域
２０５      アイテム領域
２０７      ソフトキー領域
２０９      インジケーター領域
【図１】
2013506928.tif 000003
【図２】
2013506928.tif 000004
【図３】
2013506928.tif 000005
【図４】
2013506928.tif 000006
【図５】
2013506928.tif 000007
【図６】
2013506928.tif 000008
【図７】
2013506928.tif 000009
【国際調査報告】
2013506928.tif 000010
2013506928.tif 000011